(57)【要約】【課題】一対の容器部材においてその製造コストの低廉化を図り、収納容器のコストダウンを可能にする冷却塔の冷却水用薬剤収納容器。【解決手段】通水用貫通部１５，１６を有する一対の容器部材２，２が、容器部材用連結手段１８，１９により互いに連結自在に構成され、一対の容器部材２，２を互いに連結することによって、内部に薬剤Ａを収納する収納空間１１が形成され、その収納空間１１が通水用貫通部１５，１６を介して外部に連通する収納容器１に組み付けられる冷却塔の冷却水用薬剤収納容器で、一対の容器部材２，２が、収納容器１に組み付けられた状態で互いに点対称となる形状に構成されている。【選択図】        図１
2004293897.tif 000002
【特許請求の範囲】
【請求項１】
通水用貫通部を有する一対の容器部材が、容器部材用連結手段により互いに連結自在に構成され、その一対の容器部材を互いに連結することによって、内部に薬剤を収納する収納空間が形成され、その収納空間が前記通水用貫通部を介して外部に連通する収納容器に組み付けられる冷却塔の冷却水用薬剤収納容器であって、
前記一対の容器部材が、前記収納容器に組み付けられた状態で互いに点対称となる形状に構成されている冷却塔の冷却水用薬剤収納容器。
【請求項２】
前記容器部材用連結手段が、前記一対の容器部材のそれぞれに一体的に設けられた容器部材用の係合部と被係合部で構成され、両容器部材における前記係合部と被係合部が、前記収納容器に組み付けられた状態で互いに点対称となる位置に設けられている請求項１に記載の冷却塔の冷却水用薬剤収納容器。
【請求項３】
前記一対の容器部材において、前記収納容器に組み付けられた状態で、両容器部材の相対摺動を阻止する段部が、互いに点対称となるように設けられている請求項１または２に記載の冷却塔の冷却水用薬剤収納容器。
【請求項４】
前記収納容器が、概ね直方体形状に構成されて、その長手方向の両端部に容器用の係合部と被係合部が、互いに点対称となる位置にそれぞれ一体的に設けられて、それら容器用の係合部と被係合部によって、複数の収納容器がその長手方向で互いに連結自在に構成されている請求項１〜３のいずれか１項に記載の冷却塔の冷却水用薬剤収納容器。
【請求項５】
前記収納容器が、概ね直方体形状に構成されて、その長手方向に直交する方向の両端部に容器用の係合用突起と被係合用突起が、互いに点対称となる位置にそれぞれ一体的に突設されて、それら容器用の係合用突起と被係合用突起によって、複数の収納容器がその長手方向に直交する方向で互いに連結自在に構成されている請求項１〜４のいずれか１項に記載の冷却塔の冷却水用薬剤収納容器。
【請求項６】
前記係合用突起と被係合用突起が、互いに連結された収納容器どうしの相対摺動を阻止するストッパを備えている請求項５に記載の冷却塔の冷却水用薬剤収納容器。
【発明の詳細な説明】
【０００１】
【発明の属する技術分野】
本発明は、通水用貫通部を有する一対の容器部材が、容器部材用連結手段により互いに連結自在に構成され、その一対の容器部材を互いに連結することによって、内部に薬剤を収納する収納空間が形成され、その収納空間が前記通水用貫通部を介して外部に連通する収納容器に組み付けられる冷却塔の冷却水用薬剤収納容器に関する。
【０００２】
【従来の技術】
このような薬剤収納容器は、例えば、固形の薬剤を内部の収納空間に収納して冷却塔の冷却水に浮遊させ、溶出した薬剤によって冷却水の腐蝕やスケールの発生などを防止するために使用するもので、従来、収納容器を構成する一対の容器部材全体が、互いに異なる形状に構成されていた（例えば、特許文献１参照）。
【０００３】
【特許文献１】
特公平６−１３０８９号公報（第１図、第３図）
【０００４】
【発明が解決しようとする課題】
したがって、上述した従来の収納容器では、収納容器を製造するに際し、互いに形状の異なる２つの容器部材を別々に製造する必要があり、そのために収納容器のコストアップを招くという欠点があった。
特に、収納容器を合成樹脂による射出成型や金属によるプレス加工で製造する場合には、容器部材用として高価な成型用金型やプレス用金型が一対必要となり、上述した欠点が一層顕著となる欠点があった。
【０００５】
本発明は、このような従来の問題点に着目したもので、その目的は、一対の容器部材においてその製造コストの低廉化を図り、収納容器のコストダウンを可能にする冷却塔の冷却水用薬剤収納容器を提供することである。
【０００６】
【課題を解決するための手段】
請求項１の発明の特徴構成は、通水用貫通部を有する一対の容器部材が、容器部材用連結手段により互いに連結自在に構成され、その一対の容器部材を互いに連結することによって、内部に薬剤を収納する収納空間が形成され、その収納空間が前記通水用貫通部を介して外部に連通する収納容器に組み付けられる冷却塔の冷却水用薬剤収納容器であって、前記一対の容器部材が、前記収納容器に組み付けられた状態で互いに点対称となる形状に構成されているところにある。
【０００７】
請求項１の発明の特徴構成によれば、収納容器を構成する一対の容器部材が、収納容器に組み付けられた状態で互いに点対称となる形状に構成されているので、収納容器を製造するに際して、同じ形状の１種類の容器部材を製造するだけで済み、したがって、容器部材製造の簡略化により収納容器のコストダウンを図ることができる。
特に、収納容器を合成樹脂による射出成型や金属によるプレス加工で製造する場合には、高価な成型用金型やプレス用金型がひとつで済み、収納容器のコストダウンも一層顕著となる。
【０００８】
請求項２の発明の特徴構成は、前記容器部材用連結手段が、前記一対の容器部材のそれぞれに一体的に設けられた容器部材用の係合部と被係合部で構成され、両容器部材における前記係合部と被係合部が、前記収納容器に組み付けられた状態で互いに点対称となる位置に設けられているところにある。
【０００９】
請求項２の発明の特徴構成によれば、容器部材用連結手段が、一対の容器部材のそれぞれに一体的に設けられた容器部材用の係合部と被係合部で構成されているので、例えば、薬剤を補充するような場合、容器部材用連結手段を誤って紛失するようなおそれがない。
そして、その係合部と被係合部が、収納容器に組み付けられた状態で互いに点対称となる位置に設けられているので、容器部材にこれら係合部と被係合部をも含ませた状態で、１種類の容器部材を製造するだけで済み、収納容器のコストダウンを図ることができる。
【００１０】
請求項３の発明の特徴構成は、前記一対の容器部材において、前記収納容器に組み付けられた状態で、両容器部材の相対摺動を阻止する段部が、互いに点対称となるように設けられているところにある。
【００１１】
請求項３の発明の特徴構成によれば、一対の容器部材において、収納容器に組み付けられた状態で、両容器部材の相対摺動を阻止する段部が、互いに点対称となるように設けられているので、容器部材用連結手段により一対の容器部材を互いに連結した状態において、その収納容器を構成する一対の容器部材間における相対摺動が抑制されて収納容器の保形機能が向上し、それにもかかわらず、容器部材に相対摺動阻止用の段部をも含ませて、１種類の容器部材を製造するだけで済む。
【００１２】
請求項４の発明の特徴構成は、前記収納容器が、概ね直方体形状に構成されて、その長手方向の両端部に容器用の係合部と被係合部が、互いに点対称となる位置にそれぞれ一体的に設けられて、それら容器用の係合部と被係合部によって、複数の収納容器がその長手方向で互いに連結自在に構成されているところにある。
【００１３】
請求項４の発明の特徴構成によれば、収納容器が、概ね直方体形状に構成されて、その長手方向の両端部に容器用の係合部と被係合部が、互いに点対称となる位置にそれぞれ一体的に設けられて、それら容器用の係合部と被係合部によって、複数の収納容器がその長手方向で互いに連結自在に構成されているので、例えば、使用対象となる冷却水の量などに応じて、必要な数の収納容器をその長手方向で連結して使用することができ、この場合にも、容器部材にこれら容器用の係合部と被係合部を含ませて、１種類の容器部材を製造するだけで済む。
【００１４】
請求項５の発明の特徴構成は、前記収納容器が、概ね直方体形状に構成されて、その長手方向に直交する方向の両端部に容器用の係合用突起と被係合用突起が、互いに点対称となる位置にそれぞれ一体的に突設されて、それら容器用の係合用突起と被係合用突起によって、複数の収納容器がその長手方向に直交する方向で互いに連結自在に構成されているところにある。
【００１５】
請求項５の発明の特徴構成によれば、収納容器が、概ね直方体形状に構成されて、その長手方向に直交する方向の両端部に容器用の係合用突起と被係合用突起が、互いに点対称となる位置にそれぞれ一体的に突設されて、それら容器用の係合用突起と被係合用突起によって、複数の収納容器がその長手方向に直交する方向で互いに連結自在に構成されているので、上述したように、使用対象となる冷却水の量などに応じて、必要な数の収納容器をその長手方向に直交する方向で連結して使用することができ、この場合にも、容器部材にこれら係合用突起と被係合用突起を含ませて、１種類の容器部材を製造するだけで済む。
そして、この長手方向に直交する方向での連結と長手方向での連結を共有する場合には、実際の使用に際して収納容器を配設する周りの状況、例えば、冷却水の流れや状態などに応じて、必要な数の収納容器を最適な方向に適宜連結して状況に応じた使用が可能となる。
【００１６】
請求項６の発明の特徴構成は、前記係合用突起と被係合用突起が、互いに連結された収納容器どうしの相対摺動を阻止するストッパを備えているところにある。
【００１７】
請求項６の発明の特徴構成によれば、係合用突起と被係合用突起が、互いに連結された収納容器どうしの相対摺動を阻止するストッパを備えているので、複数の収納容器をその長手方向に直交する方向に連結した状態において、収納容器間での相対摺動を阻止して収納容器の連結姿勢を確実に保持することができる。
【００１８】
【発明の実施の形態】
本発明による冷却塔の冷却水用薬剤収納容器につき、実施の形態を図面に基づいて説明する。
この薬剤収納容器１は、図１〜図３に示すように、概ね直方体形状を有し、互いに連結自在な一対の容器部材２，２により構成されている。両容器部材２，２は、合成樹脂による射出成型品で構成され、後に詳しく説明するように、収納容器１に組み付けられた状態で、両容器部材２，２が、収納容器１の中心点を対称中心Ｏとして互いに点対称となる形状に構成されている。換言すると、両容器部材２，２は、全く同じ形状に構成されている。
したがって、以後の説明においては、両容器部材２，２のいずれか一方についてのみ説明し、必要に応じて、一対の容器部材２，２について説明を加える。
【００１９】
容器部材２は、１面が開口した半直方体形状を有し、その半直方体の長手方向の一端部３には、滑らかな傾斜面が設けられ（便宜上、傾斜面側を「前部３」と称する）、長手方向の他端部４には、凹入段部が設けられている（便宜上、凹入段部側を「後部４」と称する）。
すなわち、容器部材２は、底壁５、左側壁６、右側壁７、前壁８、後壁９などから構成され、その内部は、複数の仕切り１０により前後方向に仕切られて、固形の薬剤Ａを収納するための複数の収納空間１１が形成され、その収納空間１１の前部３側と後部４側には、浮力付与用の発泡スチロールＢを収納する浮力空間１２が形成されている。
【００２０】
各収納空間１１には、薬剤Ａを保持する複数のリブ１３が設けられ、容器部材２の底壁５には、それらリブ１３の間およびリブ１３と仕切り１０の間に位置する状態で複数の貫通孔１５が設けられ、さらに、底壁５と両側壁６，７にわたっては、複数の貫通スリット１６が設けられている。
これら貫通孔１５および貫通スリット１６は、両容器部材２を連結した際、内部の収納空間１１と外部を連通して、冷却水の通流を許容する通水用貫通部として機能するものである。
容器部材２の開口周縁、つまり、左右側壁６，７と前後壁８，９の開口側周縁は、前部３側が低く、後部４側が高くなるように構成され、前後方向の中心に位置する左右側壁６，７箇所には、両容器部材２，２を連結した際に両容器部材２，２間での相対摺動を阻止する段部１７が設けられている。
【００２１】
容器部材２において、その前部３側には、容器部材用の係合部として機能する左右一対のフック１８が、容器部材２と一体的に設けられて開口部側へ突設され、その左右一対のフック１８と対応するように、後部４側には、容器部材用の被係合部として機能するリブ突起１９が、容器部材２と一体的に設けられて浮力空間１２側へ突設されている。
これらフック１８とリブ突起１９は、一対の容器部材２，２を互いに連結する際、図２に示すように、一方のフック１８が他方のリブ突起１９に係合し、かつ、他方のフック１８が一方のリブ突起１９に係合して、両容器部材２，２を強固に連結するためのもので、容器部材用連結手段として機能する。
【００２２】
容器部材２において、その後壁９には、連設壁９ａが連設され、その連設壁９ａには、容器用の係合部として機能する突起部材２０が、底壁５側に向けて一体的に突設され、かつ、容器用の被係合部として機能する被係合孔２１が、突起部材２０より前方側に位置する状態で穿設され、さらに、同じ被係合孔２１が、後壁９と前壁８にもそれぞれ穿設されている。
これら突起部材２０と被係合孔２１は、後に詳しく説明するように、複数の収納容器１をその長手方向で互いに連結する際に使用されるもので、一対の容器部材２，２を連結して収納容器１に組み付けた状態で、収納容器１の長手方向の両端部に位置することになる。
【００２３】
さらに、容器部材２において、その左側壁６の後部４側には、容器用の係合用突起または被係合用突起として機能する連結用フック２２が横側方に一体的に突出する状態で設けられ、その連結用フック２２の後端には、ストッパ２３が一体的に設けられている。
その左側壁６の連結用フック２２に対応するように、右側壁７の前部３側にも同じ連結用フック２２が一体的に突設され、その連結用フック２２の前端には、ストッパ２３が一体的に設けられている。
【００２４】
つぎに、この収納容器の使用方法について説明する。
まず、一対の容器部材２，２において、一方の容器部材２の収納空間１１に薬剤Ａを収納配置し、浮力空間１２に発泡スチロールＢを収納配置し、他方の容器部材２を前後逆にして上方から被せて押し付ける。
すると、一方の容器部材２のフック１８が、弾性変形した後、他方の容器部材２のリブ突起１９に係合し、同様に、他方の容器部材２のフック１８が、一方の容器部材２のリブ突起１９に係合して、両容器部材２，２が収納容器１に組み付けられ、両容器部材２，２における段部１７どうしの当接によって、両容器部材２，２間での相対摺動が阻止される。
【００２５】
このように収納容器１に組み付けた状態では、図２に示すように、収納容器１の中心点を対称中心Ｏとして、底壁５、左側壁６、右側壁７、前壁８、後壁９などは勿論のこと、フック１８、リブ突起１９、突起部材２０、被係合孔２１、連結用フック２２、ストッパ２３などが全て点対称となる。
したがって、例えば、収納容器１をひとつだけ使用して冷却水に浮遊させた場合、何らかの原因で収納容器１が上下反転しても、冷却水に対しては相対的に同じ姿勢を保持することになり、いずれの場合にも、上方に位置する容器部材２の貫通孔１５や貫通スリット１６から冷却水が浸入し、薬剤Ａに接触した後、下方に位置する容器部材２の貫通孔１５や貫通スリット１６から出て行くことになり、冷却水中に薬剤Ａが溶出される。
【００２６】
また、冷却水の量が多い場合には、２つ以上の収納容器１を互いに連結して使用することになる。
例えば、２つ以上の収納容器１を直線状に連結する場合であれば、図４に示すように、各収納容器１の長手方向の両端部に位置する突起部材２０と被係合孔２１を使用して連結することになる。
また、２つの収納容器１を直角に連結する場合であれば、図５に示すように、一方の収納容器１の突起部材２０を他方の収納容器１における前壁８の被係合孔２１に係合すると同時に、他方の収納容器１における突起部材２０を一方の収納容器１における後壁９の被係合孔２１に係合して、両収納容器１を直角に連結することになり、順次直角に連結することにより、Ｌ字状、コの字状、正方形などに連結することもできる。
【００２７】
さらに、２つ以上の収納容器１を長手方向に直交する方向で連結する場合であれば、図６に示すように、各収納容器１の側部に位置する連結用フック２２を使用して連結することになり、その場合には、図７に示すように、各収納容器１のストッパ２３が、互いに連結用フック２２の前後方向への摺動を阻止するので、収納容器１間での相対摺動が阻止されて連結姿勢が確実に保持される。
このように、複数の収納容器１を直線状に連結したり、横に並べて連結したり、さらには、直角に連結することもでき、多数の収納容器１を使用して大きさの異なるＬ字状、コの字状、矩形などの各種の形状に連結することができる。
【００２８】
〔別実施形態〕
（１）先の実施形態では、収納容器１を構成する容器部材２を合成樹脂による射出成型で製造した例を示したが、金属によるプレス加工で製造することも、また、他の材料を使用して他の方法により製造することもでき、さらに、収納容器１の形状に関しても、先の実施形態で示した直方体形状に限るものではなく、種々の形状に構成することができる。
【００２９】
（２）先の実施形態では、容器部材用連結手段を構成する容器部材用の係合部および被係合部としてフック１８とリブ突起１９を例示したが、容器部材用の係合部および被係合部については、特にフックとリブ突起に限るものではなく、各種の改変が可能である。同様に、容器用の係合部および被係合部についても、先の実施で例示した突起部材２０と被係合孔２１に限るものではなく、また、容器用の係合用突起または被係合用突起も連結用フックに限るものではなく、それぞれ種々の改変が可能である。
さらに、その容器部材用の係合部と被係合部と、容器用の係合部と被係合部、および、容器用の係合用突起または被係合用突起の全てを容器部材２と一体的に構成した例を示したが、必ずしも一体的に構成する必要はなく、例えば、容器部材用の係合部および被係合部を容器部材２とは別体に構成し、容器部材２の製造後に取り付けることもできる。
【図面の簡単な説明】
【図１】薬剤収納容器の分解斜視図と組み付け斜視図
【図２】薬剤収納容器の縦断面図
【図３】薬剤収納容器を構成する容器部材の平面図と縦断面図
【図４】薬剤収納容器の連結状態を示す斜視図
【図５】薬剤収納容器の連結状態を示す斜視図
【図６】薬剤収納容器の連結状態を示す斜視図とその際の連結用フックを示す斜視図
【図７】連結用フックの詳細を示す斜視図
【符号の説明】
１          収納容器
２          容器部材
１１        収納空間
１５，１６  通水用貫通部
１７        段部
１８，１９  容器部材用連結手段を構成する容器部材用の係合部と被係合部
２０，２１  容器用の係合部と被係合部
２２        容器用の係合用突起または被係合用突起
２３        ストッパ
Ａ          薬剤
【図１】
2004293897.tif 000003
【図２】
2004293897.tif 000004
【図３】
2004293897.tif 000005
【図４】
2004293897.tif 000006
【図５】
2004293897.tif 000007
【図６】
2004293897.tif 000008
【図７】
2004293897.tif 000009